Podtech/llm-jp-corpus-v4-ja_patent huggingface dataset:
(57)【要約】      （修正有）【課題】陶器類（ 陶器・陶粉・顆粒）に柿渋効能を持続させる為の焼付と加圧にて付着・染色・含浸させてその効果を持続させる陶器を提供する。【解決手段】柿渋成分を加圧・焼付けし付着、浸透させた陶器類で出来た通気孔を有する本体容器と紐状をよりあわせた手鞠状で、柿渋成分を焼付け・加圧・浸透させた磁器製からなるカートリッジから構成される陶器類。    【選択図】図１
0003172002.tif 000002
【実用新案登録請求の範囲】
【請求項１】
柿渋成分を加圧・焼付けし付着、浸透させた陶器類で出来た、通気孔を有する本体容器とボール状のカートリッジからなる陶器類。    
【請求項２】
紐状をよりあわせた手鞠状で、柿渋成分を焼付け・加圧・浸透させた磁器製からなるカートリッジある請求項1記載の陶器類。
【考案の詳細な説明】
【技術分野】
【０００１】
本考案は陶器類( 陶器・陶粉・顆粒)に柿渋効能を持続させる為の焼付と加圧にて付着・染色・含浸させてその効果を持続させる為の形態に関する分野。
【背景技術】
【０００２】
従来、陶器類は釉薬を施して焼成し発色させ吸水性をなくすことが陶器の本来の機能であり、柿渋液を施して高温焼成すると色も効能も焼失してなくなる。また柿渋を染付けその効能・効果を加熱し維持する陶器類は出来ないのが現状である。
【考案の概要】
【考案が解決しようとする課題】
【０００３】
(イ) 通常、陶器類は製造過程で高温焼成するほど吸水性が低下するので, 柿渋液剤を均等に付着・染色しにくい。常温にて陶器類を単純に柿渋液剤に浸すだけでは付着・染色が浅く、斑が出やすく、剥離もしやすく安定性もない問題点がある。          
(ロ) 柿渋を焼付け・付着させた陶器類の効能・効果の持続性を高める専用の形態を必要とする。
【課題を解決するための手段】
【０００４】
柿渋成分を加圧・焼付けし付着、浸透させた陶器類で出来た、通気孔を有する本体容器とボール状のカートリッジからなる陶器類である。    
また、前記陶器類のカートリッジは、紐状をよりあわせた手鞠状で、柿渋成分を焼付け・加圧・浸透させた磁器製からなるカートリッジとすることもできる。
【考案の効果】
【０００５】
多孔質な陶器類形状に柿渋を焼付け・付着させることで、ホルムアルデヒドの吸着・消臭機能・抗菌効果等が相乗的に高められ、効能が薄れても交換カートリッジで持続し、交換カートリッジは再度柿渋液を吸着リユースし、半永久的に再利用出来るので経済的でエコロジーにもかなうものである。
【図面の簡単な説明】
【０００６】
【図１】形態平面図を示す。
【図２】形態側面図を示す。
【図３】カートリッジ形状図を示す。
【図４】使用説明断面図を示す。
【考案を実施するための形態】
【実施例１】
【０００７】
陶磁器本体及びカートリッジの陶器類素材は、陶土に米糠や籾殻砕粉等(焼成後焼失し極小孔となる)を混入し成形・焼成する。
そのことにより、その胎は多孔質なので柿渋が斑なく焼付け・付着されやすくなる。
【０００８】
次に、通気孔を有する陶磁器類本体を柿渋成分に浸透させ、加圧・焼付けし付着、表面に浸透させる。
そのことにより、柿渋液の染色斑と付着の濃度の安定化を計る。更に柿渋自体の効果( ホルムアルデヒドを吸着・消臭効果等)を焼付け・付着させ効能・効果の持続性を高めることが出来る。
【０００９】
また、陶器類本体に用いるカートリッジは、陶磁器製で、紐状をよりあわせた手鞠状の形態を有することが好ましいく、柿渋成分を焼付け・加圧・浸透させる。
そのことにより、陶磁器類本体と同等の効果を有することになる。
【００１０】
図１は、本考案に係わる本体容器である。柿渋効果・効能を発揮出来る有効  形状を持つ柿の実形状に有孔を持つ陶製フイギュ−ルの側面を表す。      
【００１１】
図２は、本考案に係わる本体容器の平面を表す。得に中央上部に表示する蔕はカートリッジを挿入する為の開閉出来る蓋としての機能を持つ。      
【００１２】
図３は、本考案に係わる交換カートリッジの形態を示す。陶製の紐状のものをまるめてボール状にしたもので、柿渋効能を持続させる為に柿渋の染色・付着面積を増やす為の造形である。通常は20mmφ程度のボール状である。本体に10〜15個挿入して外気の浄化を促進・交換し効能を持続させる機能を持つ。      
【００１３】
図４は、本考案に係わる本体とカートリッジとの相関断面図を表す 柿渋効果・効能を発揮させると同時に、美的効果を持つ置物としての価値観を合わせ持つ。
【産業上の利用可能性】
【００１４】
本考案は、柿渋効果・効能利用形態に限定しているが、他の染色着剤による同様の効果・効能を発揮出来うる。例えば、葡萄ポリフェノール、緑茶カテキン等である。又、無釉薬セラミック胎である為に温度変化・運動エネルギーが加わると遠赤外線効果により浸透した柿渋効能・効果が相乗的に増す。ランプや噴水器、噴霧器等への応用範囲が拡がる可能性がある。従って、その機能形態も多様に考えられる。今回の考案形態も一つの参考例である。
【符号の説明】
【００１５】
１  本体容器      
２  有孔(穴)
３  蔕(開閉)      
４  交換カートリッジ
【図１】
0003172002.tif 000003
【図２】
0003172002.tif 000004
【図３】
0003172002.tif 000005
【図４】
0003172002.tif 000006
【手続補正書】
【提出日】平成23年8月24日(2011.8.24)
【手続補正１】
【補正対象書類名】実用新案登録請求の範囲
【補正対象項目名】請求項２
【補正方法】変更
【補正の内容】
【請求項２】
前記カートリッジが紐状をよりあわせた手鞠状で、柿渋成分を焼付け・加圧・浸透させた磁器製からなる請求項1記載の陶器類。
(57)【要約】      （修正有）【課題】容易に荷重を変えることができる回転曲げ疲労試験機を提供する。【解決手段】試験台１上に回転軸受け部２を設け試験片３の一端を把持し回転、他方の一端を回転するための転がり軸受部を備えた荷重負荷部４ａがあり、その下部には鉛直下方に引っ張る連結体５に結合された負荷荷重を与えるためのアクチュエータ６があり、油圧又は空気圧によって負荷荷重を調整する配管７ａより圧力源７ｂへ接続し、アクチュエータ６により容易に荷重を変えることができる。【選択図】図１
0003172010.tif 000002
【実用新案登録請求の範囲】
【請求項１】
［００１４］
回転駆動部（２）と、荷重負荷部（４ａ）と、連結体（５）と、アクチュエータ（６）と圧力源（７ｂ）とからなり、回転駆動部（２）には試験片（３）の一端を把持する回転軸受部（２１）を備え、荷重負荷部（４ａ）は、回転する試験片を把持する転がり軸受部（４ｂ）と連結体（５）からなり、更に連結体（５）はアクチュエータ（６）に接続され、配管（７ａ）を通じて圧力源（７ｂ）の油圧又は空気圧を調整して荷重負荷部（４）を下方向に圧力をかけた状態で、試験片（３）を回転させて疲労試験をおこなうようにしたことを特徴とする回転疲労曲げ試験機。
【考案の詳細な説明】
【技術分野】
【０００１】本発明は金属材料の回転曲げ疲労強度を測定するための回転曲げ疲労試験機に関するものである。
【背景技術】
【０００２】近年、自動車、鉄道、船舶、航空機、原子力設備等に用いられる材料として鋼材の代わりに、軽量かつ成型が容易なアルミ系材料や、耐熱性に優れた、ニッケル系合金が頻繁に用いられている。【０００３】このような材料の疲労強度を測定する場合は１×１０７回の繰り返し疲労を与えることが一般的であったが、近年では１×１０８や１×１０９回の繰り返し疲労により２段目の疲労限度が現れることが知られている。このため材料を疲労試験する場合には長期間の試験時間が必要な場合があり、このことが新材料の迅速な研究開発の障害となっていた。
【先行技術文献】
【特許文献】
【０００４】
【特許文献１】公開実用新案  平４−１８３４５  公報
【考案の概要】
【考案が解決しようとする課題】
【０００５】回転曲げ疲労試験は試験片に加える荷重負荷部は軽荷重数百ｇくらいから重荷重である数１０Ｋｇまでの荷重を変化させて試験材料の破断までの回転数量、時間を計測して評価する必要がある。【０００６】試験片の他端を自重により鉛直下方に引っ張る荷重付加部材は重錘を用いており、必要に応じて単位重量の重錘を追加し試験を行っている。軽荷重の場合は容易に重錘を加えることは可能であるが、重荷重の数１０Ｋｇになると運搬、荷重負荷部への取り付け等の取り扱いの危険性、煩雑さを生じる課題があった。
【課題を解決するための手段】
【０００７】試験台（１）上に回転軸受け部（２）を設け試験片（３）の一端を把持し回転、他方の一端を回転するための転がり軸受部（４ｂ）を備えた荷重負荷部（４ａ）があり、その下部には鉛直下方に引っ張る連結体（５）に結合された負荷荷重を与えるためのアクチュエータ（６）があり、油圧又は空気圧によって負荷荷重を調整する配管（７ａ）より圧力源（７ｂ）へ接続し、アクチュエータ（６）が容易に荷重を可変できるようにしたことを特徴とする回転疲労曲げ試験機。
【考案の効果】
【０００８】本考案の荷重負荷形態を設けることで軽荷重から重荷重の数１０Ｋｇの運搬、荷重負荷部への取り付け等の取り扱いの危険性、煩雑さをなくすことが可能となる。
【図面の簡単な説明】
【図１】本考案の回転曲げ疲労試験機の構成
【図２】荷重負荷部の詳細図
【考案を実施するための形態】
【０００９】材料の機械的強度を測定するには、試験片の一端を該一端と協動して軸回転自在に固定支持する装着部材と、前記試験片の他端を鉛直下方に引っ張るアクチュエータを備える試験片の回転曲げ疲労強度を測定する疲労試験である。
【００１０】図１は、本考案の回転曲げ疲労試験機の構成である。
回転駆動部（２）と、荷重負荷部（４ａ）と、連結体（５）と、アクチュエータ（６）と圧力源（７ｂ）とからなり、回転駆動部（２）には試験片（３）の一端を把持する回転軸受部（２１）を備え、荷重負荷部（４ａ）は、回転する試験片を把持する転がり軸受部（４ｂ）と連結体（５）からなり、更に連結体（５）はアクチュエータ（６）に接続され、配管（７ａ）を通じて圧力源（７ｂ）の油圧又は空気圧を調整して荷重負荷部（４）を下方向に圧力をかけた状態で、試験片（３）を回転させて疲労試験をおこなうようにしたことを特徴とする回転疲労曲げ試験機である。
【００１１】図２は、荷重負荷部の詳細図である。
荷重負荷部（４ａ）は、回転する試験片を把持するための転がり軸受部（４ｂ）と連結体（５）から構成されている。
【００１２】１．試験台（１）に設置した上には回転駆動部（２）とアクチュエータ（６）が設置されている。
２．試験片（３）は回転駆動部（２）の回転軸受部（２１）により一端を把持され、他方の一端は自在に固定支持する部材の荷重付加部（４ａ）とからなり、転がり軸受部（４ｂ）を通じて試験片（３）は回転する。
３．荷重負荷部（４ａ）には連結体（５）があり前記試験片の他端を鉛直下方に引っ張るアクチュエータ（６）へ連結されている。試験片（３）は時間経過に伴い鉛直方向への変化が発生し、アクチュエータ（６）の圧力軽減のための干渉用として連結部（４）に緩衝部材を用いる。
４．アクチュエータ（６）は配管（７ａ）を通じて圧力源（７ｂ）の負荷荷重を可変する。
５．１から４までの一連の構成要素からなる。
【符号の説明】
【００１３】１    試験台
２    回転駆動部
２１  回転軸受部
３    試験片
４ａ  荷重負荷部
４ｂ  転がり軸受部
５    連結体
６    アクチュエータ
７ａ  配管
７ｂ  圧力源
【図１】
0003172010.tif 000003
【図２】
0003172010.tif 000004
(57)【要約】      （修正有）【課題】役所や会社又は工場などの作業現場において机やテーブルの上が乱雑に散り広げられている場合があるが、そのようなときでも見た目をきれいに見せるための筆記用具立て兼一輪挿しを提供する。【解決手段】筆記用具立て兼一輪挿しは本体１と土台７の二つで構成され、本体１の上部にペンと花を差す穴２を別々に設けている。又本体を支える土台部分は吸盤状のなっており、その吸盤３の内側の中心に磁石４を埋め込む。【選択図】図１
0003172016.tif 000002
【実用新案登録請求の範囲】
【請求項１】
筆記用具立て兼一輪挿しは本体１にペン類と花を差す穴２が別々に設けられており、一つの穴には水を入れて生花を差す事ができ、もう一つの穴にはエンピツ又はボールペンなどを差す事を特徴とする筆記用具立て兼一輪挿し。
【請求項２】
下部の土台７は吸盤になっており、その吸盤の内側の中心には磁石４が埋め込められている事を特徴とする請求項１記載の筆記用具立て兼一輪挿し。
【考案の詳細な説明】
【技術分野】
【０００１】
本考案は吸盤とマグネットを利用して机などの上に立てる筆記用具立て兼一輪挿しに関するものである。
【背景技術】
【０００２】
役所などの受付ではペンを直接カウンターに置いているか小さな紙箱を置いて、その中にエンピツ、ボールペンなどを数本入れているがカウンターが狭いため邪魔になったり見掛けが悪かったりしていた。又会社の事務所などでは机の上に何本ものペンを置いていて整理ができていなかった。
【考案の概要】
【考案が解決しようとする課題】
【０００３】
机の上やカウンターなどに置いている筆記用具を見た目にきれいにする事により事務の効率を上げる事になり前述の欠点を解決しようとするものである。
【課題を解決するための手段】
【０００４】
本考案は筆記用具立ての下の部分を吸盤状にして、その吸盤の底面の中心部分に円形又は正方形などのマグネットを設ける事によりスチール机の上にゴムマットや合成樹脂・ガラス板などの敷物を敷いても吸盤・マグネットの両方の長所を使用できる事により問題点を解決している。
【考案の効果】
【０００５】
上述の様に本考案の筆記用具立て兼一輪挿しを使用する事により会社の机の上や役所の受付など多くの人が筆記するテーブルなどの上が見た目綺麗にする事ができた。
【図面の簡単な説明】
【０００６】
【図１】筆記用具立て兼一輪挿しにペン・エンピツを着している斜視図。
【図２】筆記用具立て兼一輪挿しにペンと花を着している斜視図。
【図３】筆記用具立て兼一輪挿しに花を着している斜視図。
【考案を実施するための形態】
【０００７】
本体１の材質は強化プラスチック・ポリプロピレン・土器・ガラス等適宜素材にて形成された筆記用具立て兼一輪挿し。
【０００８】
筆記用具立て兼一輪挿しの本体１は円形の筒状である。その筒状の中に三つの穴２が別々に設けており、その穴の一つにエンピツ、片方の穴にペン又は花とペンなど組み合わせて差し込む事ができる。
【実施例】
【０００９】
以下添付図面に従って一実施例を説明する。
筆記用具立て兼一輪挿し本体１は本体にある穴状２は筆記用具又は生花・造花を差し込む穴でもあり生花を差す場合は水を入れる穴でもある。本体の下部の吸盤３はポリ塩化ビニール樹脂等を使用しており、その吸盤の中心に円形又は長方形などの磁石４が埋め込められておりスチール机の上に置けば磁石の力で付ける事ができる。又スチール机の上にガラス板や樹脂のマットなどを敷いている場合は吸盤で吸い付くようになっている。
【符号の説明】
【００１０】
１    筆記用具立て兼一輪挿し本体
２    筆記用具又は花を差し込む穴
３    吸盤
４    磁石
５    吸盤の取手
６    本体と土台の接着面
７    下部の土台
【図１】
0003172016.tif 000003
【図２】
0003172016.tif 000004
【図３】
0003172016.tif 000005
(57)【要約】      （修正有）【課題】揺動操作および押し込み操作を阻害せずに使用することが可能なカバーを有し、ジョイスティック装置全体を変更せずに全体の意匠を変更可能とするジョイスティック装置を提供する。【解決手段】ジョイスティック装置は、ジョイスティックノブ１２を含め、装置全体覆うようにカバー１３を有し、ジョイスティックノブ１２、カバー１３により任意の形状を成形する。【選択図】図２
0003172014.tif 000002
【実用新案登録請求の範囲】
【請求項１】
レバー式ジョイスイッチと、ジョイスティックノブと筐体とカバーを備えた装置であって、前記カバーは軟質素材からなり、前記筐体の外側に露出した前記ジョイスティックノブを前記筐体を含め前記カバーにて囲繞することを特徴とするジョイスティック装置。
【請求項２】
レバー式ジョイスイッチと、ジョイスティックノブと筐体とカバーを備えた装置であって、前記ジョイスティックノブ、および前記カバーの交換機能を有するジョイスティック装置。
【考案の詳細な説明】
【技術分野】
【０００１】
本発明は、パソコンやゲーム機用入力装置などに適用可能な、操作スイッチ部分を囲繞したレバー式ジョイスティック装置に関するものである。
【背景技術】
【０００２】
従来のジョイスティック装置としては、例えば特開平０９−１３４２５１号公報（特許文献１）に記載されているものがある。図１は、従来のジョイスティック装置を示すものであり、このジョイスティック装置では、スティック軸方向に垂直な２方向に揺動可能な軸受け部が開示されており、特に、その軸受け部としてジョイスティックノブを用いることでスティック軸を動かす構成となっている。しかし、近年のゲームコントローラ等に使用されているジョイスティック装置は小型化、多機能化され、スティック軸方向に垂直な方向の動作のみならず、スティック軸方向にも動く構成のものが多くなっている。
【先行技術文献】
【特許文献】
【０００３】
【特許文献１】特開平０９−１３４２５１号  公報
【考案の概要】
【考案が解決しようとする課題】
【０００４】
従来のジョイスティック装置において、ジョイスティックノブ１０３をスティック軸方向（矢印Ａ方向）に押し込み操作、及び軸方向に垂直な方向（矢印Ｂ方向）に揺動操作をするためには、揺動幅Cのような隙間が必要となる。このためケースから露出したジョイスティックノブ１０２は成形に制限が発生する。
【０００５】
ジョイスティック装置の揺動操作および押し込み操作においてもジョイスティックノブ１２を露出させず、柔軟な形状ジョイスティックノブ１２とカバーを提供する。
【課題を解決するための手段】
【０００６】
前記従来の課題を解決するために、本発明のジョイスティック装置は、ジョイスティックノブを含め、装置全体覆うようにカバーを有し、ジョイスティックノブ、カバーにより任意の形状を成形する。
【０００７】
ここで使用されるカバーとしては熱可塑性エラストマー、シリコン等の弾性を有する軟質素材を用いることが好ましく、揺動操作および押し込み操作を阻害せずに使用することが可能となる。
【０００８】
ジョイスティックノブ、カバーを交換可能とすることでジョイスティック装置全体を変更せずに全体の意匠を変更可能とする。
【考案の効果】
【０００９】
本発明のジョイスティック装置によれば、カバーを介してジョイスティックノブを操作するため、カバーの形状を問わずジョイスティック装置の操作が可能な構成となる。
【００１０】
図３が示すように、カバーに意匠を施してもジョイスティックノブの形状を変更することで様々な形状のジョイスティック装置が作成可能となる
【００１１】
カバー部分の着脱を可能とすることで、基板やジョイスイッチ本体を交換せずに様々な形状のジョイスティック装置を提供出来る。
【００１２】
軟質素材を用いるため、反発力や厚みなどを変更することで素材と形状に娯楽性を持たせられる。
【図面の簡単な説明】
【００１３】
【図１】従来のジョイスティック装置の断面図
【図２】本発明のジョイスティック装置の断面図
【図３】本発明のジョイスティック装置の断面図
【考案を実施するための形態】
【００１４】
以下本発明を実施するために最良の形態について、図面を参照しながら説明する
【実施例】
【００１５】
図１は従来のジョイスティック装置の断面図であり、図２、図３は本発明の実施形態におけるジョイスティック装置の断面図である。
【００１６】
図２において、装置本体側の基盤１４にジョイスイッチ１１が実装され、ジョイスイッチ軸１１ａにはジョイスティックノブ１２が配されている。またジョイスティックノブ１２を交換可能な構造にしておくことで、図３のようにカバー１３の形状に最良なジョイスティックノブ１２に変更することができる。
【００１７】
ジョイスティックノブ１２はジョイスイッチ軸１１ａに装着される。ここでジョイススティックノブ１２が操作可能なカバー１３を装着する。カバー１３は熱可塑性エラストマー、シリコン等の柔軟性の高い素材を用いることで、カバー上からジョイスティックノブ１２を操作した際にもカバー１３の素材が伸縮に対応するため、ジョイスイッチ１１の動作に影響を及ぼさない。
【００１８】
ジョイスティックノブ１２はカバーの意匠に合わせて形状を変更できるようにしておくことで図３のような意匠性の高いジョイスティック装置が作成できる。
【産業上の利用可能性】
【００１９】
本発明にかかるジョイスティック装置は柔軟性を持つカバーを有することにより、形状や、素材の弾性を自由に設定したジョイスティック装置を作成できる。
【符号の説明】
【００２０】
１１  ジョイスイッチ
１２ａ  ジョイスティック軸
１２  ジョイスティックノブ
１３  カバー
１４  基盤
１５  ケース
【図１】
0003172014.tif 000003
【図２】
0003172014.tif 000004
【図３】
0003172014.tif 000005
【手続補正書】
【提出日】平成23年9月26日(2011.9.26)
【手続補正１】
【補正対象書類名】実用新案登録請求の範囲
【補正対象項目名】請求項２
【補正方法】変更
【補正の内容】
【請求項２】
軟質素材で囲繞されることを特徴とする請求項1記載のジョイスティック装置であって、囲繞するカバーの交換機能を有するジョイスティック装置。
(57)【要約】      （修正有）【課題】洗濯機で洗濯時に、洗濯機の中に入れることで、衣類が絡まないようにする洗濯物絡み防止具を提供する。【解決手段】洗濯物絡み防止具５は、ひとつのシャフト付プロペラ１を、三角錐型ケース２の先に取り付け、一体化して構成する。プロペラ１は回転連結構造にし、洗濯機６をかき混ぜる働きをする。三角錐ケース２の底は、開放されており、水が三角錐ケース２の中を出たり入ったりすることで、浮き沈みを自由にする。【選択図】図６
0003172097.tif 000002
【実用新案登録請求の範囲】
【請求項１】
下面が開口スカート状の本体と、シャフト及びこのシャフト上頭部に設けられた水平方向両側に延びる前記プロペラを有し、前記防止具本体の上頭部に設けられたシャフト孔に回転機能するように挿入された回転プロペラとを備えていることを特徴とする洗濯機用洗濯物絡み防止具。
【考案の詳細な説明】
【技術分野】
【０００１】
本考案は、プロペラと三角錐ケースを利用した洗濯物絡み防止具に関する。
【背景技術】
【０００２】
洗濯は、毎日欠くことにできない日常生活の仕事であるが、洗濯後、干す段階で、衣類同志が絡み、解すのに大変である。その上、衣類同志で引っ張り合い、衣類の損傷も多い。
【考案の開示】
【考案が解決しようとする課題】
【０００３】
従来からも円形でギザギザのものを数個入れる方法があるが、洗濯物の中に隠れてしまったり、洗濯物の絡み解決効果は今ひとつであった。本案は、このような不自由さ、不便さを軽減するものである洗濯機用洗濯物絡み防止具を提案することを課題とする。
【課題を解決するための手段】
【０００４】
この問題を解決するための本考案の洗濯機用洗濯物絡み防止具は、ひとつのプロペラを、三角錐形ケースの先に取り付けたものである。プロペラは連結回転構造になっており、洗濯物をかき混ぜる働きをし、洗濯機用洗濯物絡み防止具自体が、洗濯物に絡まることを防ぐものである。三角錐ケースの底は開放されており、水が三角錐ケースの中を出たり入ったりすることで、洗濯機用洗濯物絡み防止具の浮き沈みを自由にする。
【考案の効果】
【０００５】
プロペラが回転し、三角錐ケースが自由な動きをすることで、洗濯物の絡みを防止し、洗濯物の損傷も防ぐことができる。
【図面の簡単な説明】
【０００６】
【図１】洗濯機用洗濯物絡み防止具の側面からみた図
【図２】洗濯機用洗濯物絡み防止具の底面からみた図
【図３】洗濯機用洗濯物絡み防止具の真横からみた図
【図４】洗濯機用洗濯物絡み防止具の真上からみた図
【図５】洗濯機用洗濯物絡み防止具の分解図
【図６】洗濯機用洗濯物絡み防止具の実際の洗濯機で、使用した時の状態を上からみた図
【考案を実施するための形態】
【０００７】
本考案は、プロペラ１と円錐形のスカート２からなる洗濯機用洗濯物絡み防止具である。プロペラ１と円錐形の先の部分３を一体化させ、なおかつプロペラ１は回転するものでる。プロペラ１の端は、少しカーブさせ、より効果的に洗濯物を分散させるものである（図１）。円錐形の底部分は開放させており、洗濯機用洗濯物絡み防止具５の自由な浮き沈み運動ができるようにしてある（図２）。
【０００８】
一般に、洗濯機用洗濯物絡み防止具５は、数個の丸型を入れるものであるが、洗濯物の中に隠れてしまうので、取り扱いが不自由であった。この洗濯機用洗濯物絡み防止具５は、プロペラ１の部分が洗濯物をかくはんし、三角錐型ケース２の自由な動きで、洗濯物の絡みを防止するものである。
【０００９】
この洗濯機用洗濯物絡み防止具５は、プロペラ１と、三角錐ケース２との連結部分３に隙間がなく、洗濯物が洗濯機用洗濯物絡み防止具５自体に絡まない。
【００１０】
脱水後、たとえ洗濯物が絡んだように見えても、一振りで解ける。  
【符号の説明】
【００１１】
１回転プロペラ
２防止器具本体（スカート形状）
３プロペラ上頭部（シャフト孔）
４シャフト
５洗濯機用洗濯物絡み防止具
６洗濯機
【図１】
0003172097.tif 000003
【図２】
0003172097.tif 000004
【図３】
0003172097.tif 000005
【図４】
0003172097.tif 000006
【図５】
0003172097.tif 000007
【図６】
0003172097.tif 000008
(57)【要約】      （修正有）【課題】肩や腰にかかる負担が軽減され、かつ、汗をかきにくく、乾き易くするリュック用重量軽減指圧具を提供する。【解決手段】網目状のシート１に面ファスナー２を取りつけ、その四隅にひも３をつけ、リュックに結びつける。さらに、半球型５、及び枕型のソフトクッションを好みの位置につける。このことにより、肩、クッション、腰の三点で重点を分散することができ、これにより生じた隙間で、汗をかいても空気の通りができるため、汗をかきにくく、汗をかいても渇きやすくできる。ソフトクッションの適度な圧力でのマッサージ効果もある。【選択図】図１
0003172096.tif 000002
【実用新案登録請求の範囲】
【請求項１】
リュックの背面に取り付けることができる網目シートと、この網目シートの表面に固定された前記シート側面ファスナーと裏面と結合されるクッション側面状ファスナーが固定され、クッション側面状ファスナーが前記シート側面ファスナーに結合されることにより、前記網目シートに任意の位置に取り付けられる半球型クッションとを備えたことを特徴とするリュック用重量軽減指圧具。
【請求項２】
前記網目シートは、取り付け紐を有し、この取り付け紐を前記リュックに縛りつけることにより、このリュックの背面に取り付けられることを特徴とする請求項１記載のリュック用重量軽減指圧具。
【考案の詳細な説明】
【技術分野】
【０００１】
本考案は、網目シートと球形クッションを利用したリュック用重量軽減指圧具に関する。
【背景技術】
【０００２】
リュックは、老若男女を問わず日常で、使用頻度の高いバックである。ハイキング、通勤通学など、日常生活の必需品となっている。しかしながら、従来のリュックの背中には、一面がソフトなクッションになっているだけである。
【考案の開示】
【考案が解決しようとする課題】
【０００３】
そのため、リュックの重みは、全て肩に掛り、背中とリュックが密着するため、熱がこもり、汗をかき、かいた汗が渇きにくくなっている。したがって、本案はこのような不便さ、不快感を軽減するリュック用補助具を提案することを課題とする。
【課題を解決するための手段】
【０００４】
この問題を解決するための本考案リュック用重量軽減指圧具は、シート側面状ファスナー（例えばおすの面状ファスナー）のついた網目シートと、平面部分にクッション側面状ファスナー（例えばめすの面状ファスナー）のついた半球形型クッションからなる。網目シート側面状ファスナーに、半球形型クッションを、自分の好みの位置につけることができる。
【考案の効果】
【０００５】
網目シートは、例えば四隅に取り付け紐がついているので、他のリュックにも取り付けられ、一つあれば、便利である。
【図面の簡単な説明】
【０００６】
【図１】リュック用重量軽減指圧具を正面からみた図
【図２】リュック用重量軽減指圧具を側面からみた図
【図３】リュック用重量軽減指圧具の網目シートを正面からみた図
【図４】リュック用重量軽減指圧具をリュックに装着した図
【図５】リュック用重量軽減指圧具をリュックに装着し、側面からみた図
【図６】球型クッションを上からみた図、横からみた図
【図７】枕型クッションを横からみた図
【図８】リュック用重量軽減指圧具からクッションを取り外した図
【図９】リュック用重量軽減指圧具を背負い、横からみた図
【図１０】リュック用重量軽減指圧具の使用図
【考案を実施するための形態】
【０００７】
本考案は、網目シート１におすのマジックテープ（商標登録、シート側面状ファスナー）２をはり、網目シート１の四隅に取り付け紐３を取りつけ、どんなリュック４にも付け替えることができる。柔らかなクッションは、丸型５と枕型６があり、いずれもめすのマジックテープ（商標登録、クッション側面状ファスナー）７がついているので、好みの位置に付けることができる。
枕型クッションは、不使用の時は、空気を抜いて収納できる。リュック用重量軽減指圧具１０は、一枚の網目シート１と、指圧クッション５，６を使用することで、リュック４の重さが肩、クッション２、腰に分散され、肩に掛る負担が軽減される。
また、クッションによって、背中とリュック４の間にできる隙間で蒸れを防ぎ、クッション２による刺戟で、心地良いマッサージ効果が期待できる。
【０００８】
一般に、リュック４には、肩や背中部分に厚いクッション性のあるものを使用されているだけだが、リュック用重量軽減指圧具１０は、どのリュック４にも取り付け可能で、重量軽減、蒸れ防止、マッサージ効果がある。
【０００９】
リュック用重量軽減指圧具10は、数十グラムと軽量で、水にも強く、不使用の時は丸めてリュック４の底に入れることもできる。特に枕型クッション６は、空気を抜けば全く邪魔にならない。
【００１０】
リュック用重量軽減指圧具10は、リュック４をしっかり肩にかつぐ事で、より効果があがる。  
【符号の説明】
【００１１】
１網目シート
２マジックテープ（商標登録おす）
３ひも
４リュック
５半球クッション
６枕型クッション
７マジックテープ（商標登録めす）
１０リュック用重量軽減指圧具
【図１】
0003172096.tif 000003
【図２】
0003172096.tif 000004
【図３】
0003172096.tif 000005
【図４】
0003172096.tif 000006
【図５】
0003172096.tif 000007
【図６】
0003172096.tif 000008
【図７】
0003172096.tif 000009
【図８】
0003172096.tif 000010
【図９】
0003172096.tif 000011
【図１０】
0003172096.tif 000012
(57)【要約】      （修正有）【課題】簡単な構造、低コスト、迅速で簡単な着脱を実現し、振動を効果的に吸収し、雑音を低下させる効果を備える放熱器のファン取り付け器具を提供する。【解決手段】放熱器のファン取り付け器具には、方形板状の取付体を備える。取付体の四隅には筒柱を設け、筒柱は、内部に縦方向の丸孔を備えた柱体構造とし、筒柱の根部の内側には、丸孔と垂直につながる凹部を設け、凹部の下表面と取付体の上表面をフラット状態に揃わせる。丸孔内には、下から上へ順に、スチールボールと、バネと、キャップとを配置する。バネとスチールボールによって構成される弾性装置を用いてファンを固定する。【選択図】図１
0003172095.tif 000002
【実用新案登録請求の範囲】
【請求項１】
方形板状の取付体を備える放熱器のファン取り付け器具であって、
取付体の四隅に筒柱が設けられ、該筒柱は、内部に縦方向の丸孔を備えた柱体構造を有し、筒柱の根部の内側には、丸孔と垂直につながる凹部が設けられ、凹部の下表面と取付体の上表面がフラット状態に揃わせられ、丸孔には、下から上への順にスチールボールと、バネと、キャップとが内設されていることを特徴とする放熱器のファン取り付け器具。
【請求項２】
前記取付体の四辺にはそれと垂直となるストッパー板が設けられ、該ストッパー板の長さは取付体の一辺の長さの半分以下であることを特徴とする請求項１に記載の放熱器のファン取り付け器具。
【請求項３】
前記凹部の高さ直径は、スチールボールの直径より小さいことを特徴とする請求項１又は２に記載の放熱器のファン取り付け器具。
【請求項４】
前記キャップは、筒柱の上端に嵌着されていることを特徴とする請求項３に記載の放熱器のファン取り付け器具。 
【考案の詳細な説明】
【技術分野】
【０００１】
本考案は、放熱器の技術分野に関するもので、さらに具体的には、放熱器のファン取り付け器具に係る。
【背景技術】
【０００２】
現在、平台式パソコンのＣＰＵ放熱器のファンの多くは、ワイヤーを用いて放熱片の上に取り付けるか、直接ネジによって放熱片上に螺着している。この種のファン取り付け方法は、操作が煩雑で時間もかかり、ファンを取り付けた後は、何度も取り外すことはできない。よって、パソコンテスト或いはメンテナンスの過程において何度も取り外しを行うと、この種の構造の放熱器は簡単に壊れてしまう。また、この種の取り付け方法は、緩衝構造がないため、ファンを作動させている時に振動が生じやすく、雑音やファンの寿命に影響を及ぼす。
【考案の概要】
【考案が解決しようとする課題】
【０００３】
本考案は、バネとスチールボールを組み合わせてなる弾性装置によってファンを固定し、迅速かつ便利な着脱を実現するとともに、振動を効果的に吸収し、雑音を低下させる放熱器のファン取り付け器具を提供する。
【課題を解決するための手段】
【０００４】
本考案は、次の技術手段を採用して上述の目的を実現する。
放熱器のファン取り付け器具には、方形板状の取付体を備える。取付体の中央にはファンに対応させる穴を設け、取付体の外側にはねじ穴を設ける。
取付体の四隅にはさらに筒柱を設け、筒柱は、内部に縦方向の丸孔を備えた柱体構造とし、筒柱の根部の内側には、丸孔と垂直につながる凹部を設け、凹部の下表面と取付体の上表面をフラット状態に揃わせる。丸孔内には、下から上へ順に、スチールボールと、バネと、キャップとを配置する。
【０００５】
上述手段をさらに詳しく説明する。
特に、前記取付体の四辺にはそれと垂直となるストッパー板を設け、ストッパー板の長さは取付体の一辺の長さの半分とする。
【０００６】
特に、凹部の高さ直径は、スチールボールの直径より小さくする。
【０００７】
特に、キャップは、筒柱の上端に嵌着する。
【考案の効果】
【０００８】
次に、本考案が以上の技術手段を採用して達成する効果を示す。
本考案で開示した放熱器のファン取り付け器具に、バネとスチールボールによって構成される弾性装置を用いてファンを取り付けると、バネによって緊密に圧せられたスチールボールがファンの取り付け孔を固定する。よって、構造が簡単であるとともに、低コストで、着脱を簡単で迅速におこなえ、繰り返し着脱させても、ファンを損傷することがなく、また、弾性固定装置の使用によって、振動を効果的に吸収し、雑音を低下させる効果を備える。
【図面の簡単な説明】
【０００９】
【図１】図１は本考案のファン取り付け器具の分解図である。
【図２】図２は本考案のファン取り付け器具を放熱片上に取り付けた構造を示す図である。
【考案を実施するための形態】
【００１０】
放熱器のファン取り付け器具の構造と機能をさらに詳述するために、次に、図面と実施例を組み合わせて本考案に対する詳細説明をおこなう。ただし、本考案の保護範囲は実施方式の制限を受けないものとする。
＜実施例＞
【００１１】
図１及び図２に、本考案の放熱器のファン取り付け器具に関する分解図と、放熱片１０上に取り付けた状態の構造図を示す。図に示すように、ファン取り付け器具は、方形板状の取付体１を備える。取付体１にはファンに対応させる穴を設け、取付体１の外側にはねじ穴９を設け、ねじを用いて、取り付け器具を放熱片１０の上に連結する。取付体１の四隅にはそれぞれ筒柱２を設け、筒柱２は、内部に縦方向の丸孔４を備えた柱体構造とし、筒柱２根部の内側には、丸孔４と垂直につながる凹部３を設け、凹部３の下表面と取付体１の上表面はフラット状態に揃っている。丸孔４内には、下から上へ順に、スチールボール５と、圧縮されたバネ６と、キャップ７と、を配置し、凹部３の高さ直径は、スチールボール５が滑り出さないように、スチールボール５の直径より小さくする。キャップ７は、嵌設することによって筒柱２の上端に直接嵌着する。取付体１の四辺には、取付体１と垂直となる四つのストッパー板８をそれぞれ設け、ストッパー板８の長さは取付体１の一辺の長さの半分とし、筒柱２から取付体１の四辺の中央に向かって延伸する。
【００１２】
本考案で開示した放熱器のファン取り付け器具を使用する場合は、スチールボール５と、バネ６と、キャップ７を順に筒柱２に取り付け、さらに、ネジをねじ穴９に通して、取付体１を放熱片１０上に固定する。その後、ファンを手に取り、その四隅を取付体１の四辺のストッパー板８のない部分に対応させ、さらにファンの四隅を動かして、取り付け器具の四つの筒柱２下方にある凹部３にそれぞれ挿入する。この時、凹部３箇所に位置するスチールボール５は、ファンの四隅の取り付け孔に滑り入り、取り付け孔を緊密に圧するため、これによってファンを固定する効果を達成する。ファンを取り外す時は、逆方向にファンを回転させるだけでよい。
【００１３】
本考案において上述した実施例と図面は本考案の実施例の一つであり、これによって本考案を制限することはできない。よって、本考案の精髄から逸脱しないという条件の下、本分野の技術者によって為された変化はすべて、本考案の保護範囲に属することをここに明記する。
【符号の説明】
【００１４】
１ 取付体
２ 筒柱
３ 凹部
４ 丸孔
５ スチールボール
６ バネ
７ キャップ
８ ストッパー板
９ ねじ穴
１０ 放熱片
【図１】
0003172095.tif 000003
【図２】
0003172095.tif 000004
(57)【要約】【課題】蓋を開いた包装用容器からケーキ等を取り出し易くし、しかも、一枚の板紙より簡単に形成できる包装用容器における係合構造を形成する。【解決手段】一枚の板材で、底板部１、背面板部２、上面板部３、右側面板部４、左側面板部５、そして、正面板部６を一体に形成され、これを型抜きすることにより、折り畳みあるいは一部を糊付けする事により、一部を組み立てた状態で、略偏平に折り畳まれた直方体の包装用容器であって、上面板部は、縁付きの蓋体とし、正面板部の余辺６ａの両端部に係止凸部Ｘ，Ｘ′を形成し、右側面板部の余辺４ａ、左側面板部の余辺５ａとのそれぞれ折り曲げ部であって、前記係止凸部と対応する箇所に、それぞれ嵌挿する差し込み溝Ｙ，Ｙ′を形成し、これらの差し込み溝に、前記係止凸部を差し込み係止することにより、両側面板部と、正面板部とを係合することを特徴とする。【選択図】  図２
0003172021.tif 000002
【実用新案登録請求の範囲】
【請求項１】
一枚の板材で、底板部（１）、背面板部（２）、上面板部（３）、右側面板部（４）、左側面板部（５）、そして、正面板部（６）を一体に形成され、これを型抜きすることにより、折り畳みあるいは一部を糊付けする事により、一部を組み立てた状態で、略偏平に折り畳まれた直方体の包装用容器であって、
上面板部（３）は、縁付きの蓋体とし、
正面板部（６）の余辺（６ａ）の両端部に係止凸部（Ｘ）（Ｘ′）を形成し、
右側面板部（４）の余辺（４ａ）、左側面板部（５）の余辺（５ａ）とのそれぞれ折り曲げ部であって、前記係止凸部（Ｘ）（Ｘ′）と対応する箇所に、それぞれ嵌挿する差し込み溝（Ｙ）（Ｙ′）を形成し、
これらの差し込み溝（Ｙ）（Ｙ′）に、前記係止凸部（Ｘ）（Ｘ′）を差し込み係止することにより、
両側面板部（４）（５）と、正面板部（６）とを係合すること
を特徴とするする包装用容器における係合構造。
【考案の詳細な説明】
【技術分野】
【０００１】
この考案は、包装用容器における係合構造に関する。
【背景技術】
【０００２】
従来、ケーキ等を包装する包装用容器は、種々存在しており、容器本体と蓋体とを別個に設けたものや、容器本体と蓋体とを一体に形成したものも存在している。
しかし、これら包装用容器を搬送する際の搬送コスト並びに、店での管理・保管の便を考慮して、偏平に折り畳み、使用時に組み立てるものが多く見られる。
【０００３】
その一例として、容器を構成する上壁、後壁、底壁、前壁、そして左右の外側壁が一体に形成される組立包装用紙箱が存在している。例えば、特許文献１のように。
【先行技術文献】
【特許文献】
【０００４】
【特許文献１】実開平６−３５１０９号公報
【０００５】
しかし、この技術では、前壁が開口される構造となっているが、その目的は箱形態を保持することにあり、重合した前壁と内側壁とのそれぞれ第１及び第２連結片が折り畳まれた複雑な構成となり、第２連結片と内側壁との折り曲げ部に係合突片を設けたものであり、これらが、ケーキ等の収納物を入れる底壁の内面に突出部が生じ、また、前壁を開口した際には、底壁のケーキ等の収納物は、第２連結片の弾性により浮き上がってしまい、ケーキが傾いたりする欠点があった。
【考案の概要】
【考案が解決しようとする課題】
【０００６】
そこで、この考案は、蓋を開いた包装用容器からケーキ等を取り出し易くし、しかも、一枚の板紙より簡単に形成できる包装用容器における係合構造を形成することにある。
【課題を解決するための手段】
【０００７】
そこで、この考案は、簡単な構造によって、容器の開口部を正面部に設け、しかも、正面板部の上端にそれぞれ余辺を設け、この余辺の両端にそれぞれ係止凸部を形成し、左右の両側面板部と余辺とのそれぞれ折り曲げ部に、前記係止凸部を差し込むための溝を形成し、底面に関係なく簡単な構造で正面部が開口とすることにある。
【考案の効果】
【０００８】
この考案による包装用容器の係合構造は、以上のように構成されていることにより、前記正面板部（６）の余辺（６ａ）の両端部にそれぞれ形成した係止凸部（Ｘ）（Ｘ′）を、左・右側面板部（４）（５）のそれぞれ余辺（４ａ）（５ａ）のそれぞれ折り曲げ部に形成した差し込み溝（Ｙ）（Ｙ′）に差し込むことにより、左・右側面板部（４）（５）と正面板部（６）とを、簡単に係合・離合することができる。
【０００９】
これにより、包装用容器の正面板部（６）が手前に倒すことにより開口するため、この開口した正面からケーキ等の収納物が取り出し易く、しかも、係合部が、左・右側面板部（４）（５）並びに正面板部（６）の上部に位置するため、離合する際、手がケーキ等の収納物に触れることがなく、衛生的である等の極めて有益なる効果を奏するものである。
【図面の簡単な説明】
【００１０】
【図１】この考案の一実施例を示す平面図である。
【図２】この考案の組立状態の一実施例を示す斜視図である。
【考案を実施するための形態】
【００１１】
この考案の好適な実施をするための形態を説明すると、包装用容器における正面が開口して、内部の収納物を、手に触れることなく、簡単に取り出し易く形成した包装用容器の係合構造である。
【実施例】
【００１２】
以下、この考案である包装用容器の係合構造の一実施例について詳細に説明すると、一枚の板材で、底板部（１）、背面板部（２）、上面板部（３）、右側面板部（４）、左側面板部（５）、そして、正面板部（６）を一体に形成され、これを型抜きすることにより、折り畳みあるいは一部を糊付けする事により、一部を組み立てた状態で、略偏平に折り畳まれた直方体の包装用容器であって、上面板部（３）は、縁付きの蓋体とし、正面板部（６）の余辺（６ａ）の両端部に係止凸部（Ｘ）（Ｘ′）を形成し、右側面板部（４）の余辺（４ａ）、左側面板部（５）の余辺（５ａ）とのそれぞれ折り曲げ部であって、前記係止凸部（Ｘ）（Ｘ′）と対応する箇所に、それぞれ嵌挿する差し込み溝（Ｙ）（Ｙ′）を形成し、これらの差し込み溝（Ｙ）（Ｙ′）に、前記係止凸部（Ｘ）（Ｘ′）を差し込み係止することにより、両側面板部（４）（５）と、正面板部（６）とを係合することを特徴とするする包装用容器における係合構造から構成される。
【００１３】
尚、図２において、左側面板部（５）に、やや平行に位置する板材（Ｚ）は、保冷材がケーキ等の収納物に、直接、接触しないようにする部材である。
【００１４】
また、上面板部（３）の、左右の余辺と先端の余辺とは、それぞれ糊付けして蓋部を構成し、縁付きの蓋体としており、左右の余辺に設けた谷折り線の通り、折り畳むよう構成しており、両側面板部（４）（５）は、背面板部（２）の左右に形成した余辺と糊付けされており、両側面板部（４）（５）にそれぞれ設けた谷折り線の通り、折り畳むよう構成して、全端を偏平に折り畳むよう構成している。
【産業上の利用可能性】
【００１５】
この考案の包装用容器における係合構造の技術を確立し、該技術を実施・販売することにより、産業上利用可能性があるものである。
【符号の説明】
【００１６】
１  底板部
２  背面板部
３  上面板部
４  右側面板部
４ａ  右側面板部余辺
５  左側面板部
５ａ  左側面板部の余辺
６  正面板部
６ａ  正面板部の余辺
Ｘ  係止凸部
Ｘ′係止凸部
Ｙ  差し込み溝
Ｙ′差し込み溝
Ｚ  板材
【図１】
0003172021.tif 000003
【図２】
0003172021.tif 000004
(57)【要約】      （修正有）【課題】ファイルケースに教養あるいはクイズなどの問題とその解答を形成して、ファイルケースの携帯時に、前記の問題を考えて頭脳を活性化させ、教養を高めるようにしたファイルケースを提供する。【解決手段】紙，プラスチックなど形成可能な素材１にてＡ４版の書類Ｓ，下敷きＵ，クリアファイルＣ，ノートＮ，封筒Ｆなどを出し入れ自在に収容することができる上端開口２ｂのケース本体２とその背面２ａの上端より表面の上半に折り返してなる開閉カバー２ｃを有すファイルケース３を形成する。ケース本体２の背面２ａの外表全面または一部に教養を高めるための問題Ｋ，またはクイズ問題Ｈまたは双方を記し、開閉カバー２ｃの内面に背面印刷を用いて上記問題の解答Ｋ１，Ｈ１を記載する。【選択図】図１
0003172031.tif 000002
【実用新案登録請求の範囲】
【請求項１】
ＰＰを含むプラスチック，紙，その他の素材にてケース本体を形成し、該ケース本体の背面外表に教養，クイズなどの問題を形成し、開閉カバーの内面またはケース本体の内面に上記の解答を設けるようにしたことを特徴とするファイルケース。
【考案の詳細な説明】
【技術分野】
【０００１】
この考案はファイルケース、詳しくはファイルケースに教養あるいはクイズなどの問題とその解答を形成して、ファイルケースの携帯時に、前記の問題を考えて頭脳を活性化させ、教養を高めるようにしたファイルケースに関するものある。
【背景技術】
【０００２】
従来、この種のファイルケースとしては実開平６−３２０７１号公報がある。該公報は複数の筋と仕切りを設けて書類などの格納量の多少によってファイルケースの厚みを変えて携帯しやすくするようにしたファイル格納具を記載している。
【特許文献１】実開平６−３２０７１号公報
【考案の開示】
【考案が解決しようとする課題】
【０００３】
しかしながら、上記の公報は格納量の多少によってファイルケースの厚みを変え得るようにしたにとどまっていて、ファイルケースを携帯することで思考を通して頭脳を活性化させ、教養を高めるという点には全く欠けているという課題がある。
【課題を解決するための手段】
【０００４】
本考案は、ＰＰ（ポリプロピレン）を含むプラスチック、紙、その他の素材を用いて、書類，封筒，クリアファイルなどを入れることができる上端を開口したケース本体と、上端の開口を開閉する開閉カバーまたは開閉チャックとからなるファイルケースを形成し、該ファイルケース本体の背面外表に教養，クイズなどの問題を形成し、開閉カバーまたはケース本体の内面に問題の解答を設けて構成して、ファイルケースの携帯時に問題を通して頭脳を活性化させ、教養を高めるようにして、かかる課題を解決するようにしたのである。
【考案の効果】
【０００５】
本考案はファイルケースに教養，クイズ問題とその解答を形成したので、書類，封筒などを収容して携帯する本来の目的のほか、形成した問題を通して教養を高め頭脳を活性化させることができるという効果を生ずる。
【図面の簡単な説明】
【０００６】
【図１】ファイルケースの第１実施例であって、ケース本体の背面外表に教養，クイズ問題を形成し、開閉カバーの内面に教養，クイズの問題の解答を設けた展開斜視図
【図２】他の１例を示す背面図と開閉カバーを展開した正面図
【図３】封筒の背面に問題を形成し、舌片の内面にその解答を形成した例を示す斜視図
【図４】解答をケース本体の内面に設けた第２実施例を示す斜視図
【符号の説明】
【０００７】
１はＰＰなどのファイルケース形成用素材
２はケース本体
２ａはケース本体の背面
２ｂは上端開口
２ｃは開閉カバー
２ｄは雌雄のホック
２ｅは平面ファスナー
２ｆは開閉チャック
２２はケース本体の内面
３はファイルケース
Ｋは教養の問題，Ｈはクイズの問題
Ｋ１，Ｈ１は上記の解答
Ｓは書類
Ｕは下敷き
Ｃはクリアファイル
Ｎはノート
Ｆは封筒
Ｆ１は封筒の舌片
【考案を実施するための最良の形態】
【０００８】
本考案は、ＰＰを含むプラスチック，紙，その他形成可能な素材を用いてファイルケースを形成し、ファイルケースの背面外表に教養問題，クイズ問題を形成し、開閉カバーの内面またはケース本体の内面に解答を形成して、該ファイルケースの携帯時に上記の問題を考えて教養を高め、頭脳を活性化させることができるようにする。
【実施例１】
【０００９】
図１乃至図３は第１実施例であって、紙，プラスチックなど形成可能な素材１にてＡ４版の書類Ｓ，下敷きＵ，クリアファイルＣ，ノートＮ，封筒Ｆなどを出し入れ自在に収容することができる上端開口２ｂのケース本体２とその背面２ａの上端より表面の上半に折り返してなる開閉カバー２ｃを有すファイルケース３を形成し、ケース本体２の背面２ａの外表全面または一部に教養を高めるための問題Ｋ，またはクイズ問題Ｈまたは双方を形成し、開閉カバー２ｃの内面に背面印刷を用いて上記問題の解答Ｋ１，Ｈ１を形成する。
【００１０】
このようにして形成されたファイルケース３は職場，学校などにて必要な書類Ｓ，クリアファイルＣ，ノートＮ，下敷きＵ，封筒Ｆなどを出し入れ自在にてケース本体２内に入れてホック２ｄ閉じして携帯することとなる。
【００１１】
なお、ファイルケース３の開閉カバー２ｃを半円形にて形成するときは両端より手掛りよく開閉することができ、且つファイルケース３に角がアールの美しいアクセントを付すことができる。ファイルケース３に形成した問題Ｋ，Ｈは携帯時に内側にかくれて第三者からは見られることがないから外観体裁を良好に保つことができ、問題Ｋ，Ｈを見て思考することができることとなる。
解答がわからない場合は開閉カバー２ｃの内面の解答を見て理解するのである。
【００１２】
なお問題Ｋ，Ｈはケース本体２の背面外表のほか、収容するノートＮ，下敷きＵ，封筒Ｆの背面に形成するなどして多量にすることができる。図３に示すように封筒Ｆの開閉舌片Ｆ１の内面に解答Ｋ１，Ｈ１を設けることもできる。
【実施例２】
【００１３】
図４は第２実施例であって、開閉チャック２ｆ付きケース本体２の背面外表２ａに問題Ｋ，Ｈを形成し、ケース本体２の内面２２に問題の解答Ｋ１，Ｈ１を設けたほかは前例と同じである。
なお、解答を設ける内面２２は背面の内側，表面の内側のいずれでもよい。
【産業上の利用可能性】
【００１４】
本考案は、書類，封筒などを携帯する開閉用のカバー付きファイルケースにおいて、頭脳を活性化させ、教養を高め得る機能を付与した点で広く利用し活用することができるものである。
【図２】
0003172031.tif 000003
【図３】
0003172031.tif 000004
【図４】
0003172031.tif 000005
【図１】
0003172031.tif 000006